(57)【要約】【課題】撮影した被検体の画像、各種情報、又は入力操作の結果を表示する画面を、その画面の表示環境、画面を表示する作業目的、又は画面を表示している操作者の役割に応じて画面の色調を変更することのできる画像診断装置又は画像表示装置を提供する。【解決手段】画面の各種色調パターンを記憶しておき、作業目的に応じた各種モード、操作者ＩＤで識別される操作者が有する役割を示す情報、又は表示端末の設置場所を示す情報の何れか又は組み合わせと、色調パターンの対応付けを記憶しておく。そして、入力されたモード、入力された操作者ＩＤ、又は操作されている表示端末の設置場所に対応する色調パターンで画面を配色する。【選択図】図１
2009139624.tif 000002
【特許請求の範囲】
【請求項１】
被検体の画像を撮影するモードを含む各種作業目的に応じたモードで動作するとともに、撮影した被検体の画像、各種情報、又は入出力操作の結果を表示する画面を表示する画像診断装置であって、
作業目的に応じたモードの入力を受け付ける操作手段と、
前記画面の各種色調パターンを記憶する色調記憶手段と、
作業目的に応じた各種モードと前記色調パターンの対応付けを記憶する対応付け記憶手段と、
前記操作手段で入力されたモードに対応する色調パターンで前記画面を配色する画面作成手段と、
前記画面作成手段で配色された前記画面を表示する表示手段と、
を備えること、
を特徴とする画像診断装置。
【請求項２】
前記対応付け記憶手段は、
被検体を撮影するモードと暗色の色調パターンの対応付け、メインテナンスのためのモードと中間色の色調パターンの対応付け、及び被検体の撮影を予約するためのモードと明色の色調パターンの対応付けを記憶すること、
を特徴とする請求項１記載の画像診断装置。
【請求項３】
撮影した被検体の画像、各種情報、又は入出力操作の結果を表示する画面を表示する画像診断装置であって、
操作者ＩＤの入力を伴うログイン操作を受け付ける操作手段と、
前記画面の各種色調パターンを記憶する色調記憶手段と、
前記操作者ＩＤで識別される操作者が有する役割を示す情報と前記色調パターンの対応付けを記憶する対応付け記憶手段と、
前記操作手段で入力された操作者ＩＤで識別される操作者が有する役割に対応する色調パターンで前記画面を配色する画面作成手段と、
前記画面作成手段で配色された前記画面を表示する表示手段と、
を備えること、
を特徴とする画像診断装置。
【請求項４】
前記対応付け記憶手段は、
前記操作者ＩＤと前記役割を示す情報とを予め対応付けし、技師又は医師を表す前記役割を示す情報と暗色の色調パターンを対応付けし、メインテナンスを行う者を表す前記役割を示す情報と中間色の色調パターンを対応付けし、及び事務又は看護師を表す前記役割を示す情報と明色の色調パターンを対応付けしていること、
を特徴とする請求項３記載の画像診断装置。
【請求項５】
照度が異なる設置場所にそれぞれ表示端末を有し、撮影した被検体の画像、各種情報、及び入出力操作の結果を表示する画面を、操作されている前記表示端末に表示させる画像診断装置であって、
前記画面の各種色調パターンを記憶する色調記憶手段と、
前記表示端末の設置場所を示す情報と前記色調パターンの対応付けを記憶する対応付け記憶手段と、
前記操作された表示端末の設置場所に対応する色調パターンで前記画面を配色する画面作成手段と、
を備え、
前記表示端末は、
前記画面作成手段で配色された前記画面を表示すること、
を備えること、
を特徴とする画像診断装置。
【請求項６】
前記表示端末は、
低照度の設置場所である読影室、及び高照度の設置場所である診察室、受付若しくは待合室に設置され、
前記対応付け記憶手段は、
前記表示端末を識別する情報と前記設置場所を示す情報とを対応付けし、
前記設置場所が前記読影室である情報と暗色の色調パターンを対応付けし、前記設置場所が診察室、受付、若しくは待合室である情報と明色の色調パターンを対応付けしていること、
を特徴とする請求項５記載の画像診断装置。
【請求項７】
被検体の画像を撮影するモードを含む各種作業目的に応じたモードで動作するとともに、照度が異なる設置場所にそれぞれ表示端末を有し、撮影した被検体の画像、各種情報、又は入出力操作の結果を表示する画面を表示する画像診断装置であって、
操作者ＩＤの入力を伴うログイン操作と作業目的に応じたモードの入力を受け付ける操作手段と、
前記画面の各種色調パターンを記憶する色調記憶手段と、
前記操作者ＩＤで識別される操作者が有する役割を示す情報と作業目的に応じた各種モードとの組み合わせと前記色調パターンとの対応付けを記憶する対応付け記憶手段と、
前記操作手段で入力された操作者ＩＤで識別される操作者が有する役割と入力されたモードとの組み合わせに対応する色調パターンで前記画面を配色する画面作成手段と、
前記画面作成手段で配色された前記画面を表示する表示手段と、
を備えること、
を特徴とする画像診断装置。
【請求項８】
被検体の画像、各種情報、又は入出力操作の結果を表示する画面を表示する画像表示装置であって、
作業目的に応じたモードの入力を受け付ける操作手段と、
前記画面の各種色調パターンを記憶する色調記憶手段と、
作業目的に応じた各種モードと前記色調パターンの対応付けを記憶する対応付け記憶手段と、
前記操作手段で入力されたモードに対応する色調パターンで前記画面を配色する画面作成手段と、
前記画面作成手段で配色された前記画面を表示する表示手段と、
を備えること、
を特徴とする画像表示装置。
【請求項９】
前記対応付け記憶手段は、
被検体を撮影するモードと暗色の色調パターンの対応付け、メインテナンスのためのモードと中間色の色調パターンの対応付け、及び被検体の撮影を予約するためのモードと明色の色調パターンの対応付けを記憶すること、
を特徴とする請求項８記載の画像診断装置。
【請求項１０】
被検体の画像、各種情報、又は入出力操作の結果を表示する画面を表示する画像表示装置であって、
操作者ＩＤの入力を伴うログイン操作を受け付ける操作手段と、
前記画面の各種色調パターンを記憶する色調記憶手段と、
前記操作者ＩＤで識別される操作者が有する役割を示す情報と前記色調パターンの対応付けを記憶する対応付け記憶手段と、
前記操作手段で入力された操作者ＩＤで識別される操作者が有する役割に対応する色調パターンで前記画面を配色する画面作成手段と、
前記画面作成手段で配色された前記画面を表示する表示手段と、
を備えること、
を特徴とする画像表示装置。
【請求項１１】
前記対応付け記憶手段は、
前記操作者ＩＤと前記役割を示す情報とを予め対応付けし、技師又は医師を表す前記役割を示す情報と暗色の色調パターンを対応付けし、メインテナンスを行う者を表す前記役割を示す情報と中間色の色調パターンを対応付けし、及び事務又は看護師を表す前記役割を示す情報と明色の色調パターンを対応付けしていること、
を特徴とする請求項１０記載の画像表示装置。
【請求項１２】
照度が異なる設置場所にそれぞれ表示端末を有し、被検体の画像、各種情報、及び入出力操作の結果を表示する画面を、操作されている前記表示端末に表示させる画像表示装置であって、
前記画面の各種色調パターンを記憶する色調記憶手段と、
前記表示端末の設置場所を示す情報と前記色調パターンの対応付けを記憶する対応付け記憶手段と、
前記操作された表示端末の設置場所に対応する色調パターンで前記画面を配色する画面作成手段と、
を備え、
前記表示端末は、
前記画面作成手段で配色された前記画面を表示すること、
を備えること、
を特徴とする画像表示装置。
【請求項１３】
前記表示端末は、
低照度の設置場所である読影室、及び高照度の設置場所である診察室、受付若しくは待合室に設置され、
前記対応付け記憶手段は、
前記表示端末を識別する情報と前記設置場所を示す情報とを対応付けし、
前記設置場所が前記読影室である情報と暗色の色調パターンを対応付けし、前記設置場所が診察室、受付、若しくは待合室である情報と明色の色調パターンを対応付けしていること、
を特徴とする請求項１２記載の画像表示装置。
【請求項１４】
被検体の画像を撮影するモードを含む各種作業目的に応じたモードで動作するとともに、照度が異なる設置場所にそれぞれ表示端末を有し、撮影した被検体の画像、各種情報、又は入出力操作の結果を表示する画面を表示する画像表示装置であって、
操作者ＩＤの入力を伴うログイン操作と作業目的に応じたモードの入力を受け付ける操作手段と、
前記画面の各種色調パターンを記憶する色調記憶手段と、
前記操作者ＩＤで識別される操作者が有する役割を示す情報と作業目的に応じた各種モードとの組み合わせと前記色調パターンとの対応付けを記憶する対応付け記憶手段と、
前記操作手段で入力された操作者ＩＤで識別される操作者が有する役割と入力されたモードとの組み合わせに対応する色調パターンで前記画面を配色する画面作成手段と、
前記画面作成手段で配色された前記画面を表示する表示手段と、
を備えること、
を特徴とする画像表示装置。
【発明の詳細な説明】
【技術分野】
【０００１】
この発明は、撮影した被検体の画像、各種情報、又は入力操作の結果を表示する画面を表示する画像診断装置及び医療現場に設置される画像表示装置に関する。
【背景技術】
【０００２】
医療現場では、Ｘ線ＣＴ装置及び超音波診断装置等の各種画像診断装置や、ＰＡＣＳ、ＨＩＳ、ＲＩＳ、及び電子カルテシステム等の各種画像表示装置が配置されている。これら各機器は、液晶ディスプレイやＣＲＴディスプレイ等の表示部を有し、撮影した被検体の画像、各種情報、又は入力操作の結果を配置した画面を表示する。
【０００３】
これら各機器は、検査室や読影室等の暗室であったり、診察室や受付けや待合室等の明るい部屋であったり、照度の異なる様々な環境下で操作される。また、暗室で画面の凝視が必要な作業目的又は役割であったり、暗室や明るい部屋等の環境は様々であるが画面の凝視が必要でない作業目的又は役割であったり、暗室や明るい部屋等の環境は様々であり、かつ画面の凝視は必要ないが、長時間の作業が必要である作業目的又は役割といった、様々な作業目的又は役割で操作される。
【０００４】
従って、表示している画面の色調が、部屋の照度や作業目的や役割に応じた色調でない場合、画面が見づらくなったり、画面の光が目に強い刺激を与えたりすることで、操作者に負担を強いることとなり、作業効率が低下してしまうことがある。
【０００５】
従来、画面の色調を変更する技術としては、例えば、各種画面毎に背景色を変える技術が提示されている（例えば、「特許文献１」参照。）。
【０００６】
しかし、この技術は、画面の種類に応じて背景色を変えるものであり、画面によっては、部屋の照度との関係で、画面が見づらくて作業効率が低下してしまったり、作業目的や役割が画面を凝視するものであるため、画面の光により目に強い刺激が与えられて目に疲れを覚え、作業効率が低下してしまったりすることがある。
【０００７】
【特許文献１】特開２００５−３３４４６１号公報
【発明の開示】
【発明が解決しようとする課題】
【０００８】
この発明は、上述のような問題点に鑑みてなされたものであり、その目的とするところは、撮影した被検体の画像、各種情報、又は入出力操作の結果を表示する画面を、その画面の表示環境、画面を表示する作業目的、又は画面を表示している操作者の役割に応じて画面の色調を変更することのできる画像診断装置又は画像表示装置を提供するものである。
【課題を解決するための手段】
【０００９】
上記課題を解決するために、請求項１記載の本発明に係る画像診断装置は、被検体の画像を撮影するモードを含む各種作業目的に応じたモードで動作するとともに、撮影した被検体の画像、各種情報、又は入出力操作の結果を表示する画面を表示する画像診断装置であって、作業目的に応じたモードの入力を受け付ける操作手段と、前記画面の各種色調パターンを記憶する色調記憶手段と、作業目的に応じた各種モードと前記色調パターンの対応付けを記憶する対応付け記憶手段と、前記操作手段で入力されたモードに対応する色調パターンで前記画面を配色する画面作成手段と、前記画面作成手段で配色された前記画面を表示する表示手段と、を備えること、を特徴とする。
【００１０】
また、上記課題を解決するために、請求項３記載の本発明に係る画像診断装置は、撮影した被検体の画像、各種情報、又は入出力操作の結果を表示する画面を表示する画像診断装置であって、操作者ＩＤの入力を伴うログイン操作を受け付ける操作手段と、前記画面の各種色調パターンを記憶する色調記憶手段と、前記操作者ＩＤで識別される操作者が有する役割を示す情報と前記色調パターンの対応付けを記憶する対応付け記憶手段と、前記操作手段で入力された操作者ＩＤで識別される操作者が有する役割に対応する色調パターンで前記画面を配色する画面作成手段と、前記画面作成手段で配色された前記画面を表示する表示手段と、を備えること、を特徴とする。
【００１１】
また、上記課題を解決するために、請求項５記載の本発明に係る画像診断装置は、照度が異なる設置場所にそれぞれ表示端末を有し、撮影した被検体の画像、各種情報、及び入出力操作の結果を表示する画面を、操作されている前記表示端末に表示させる画像診断装置であって、前記画面の各種色調パターンを記憶する色調記憶手段と、前記表示端末の設置場所を示す情報と前記色調パターンの対応付けを記憶する対応付け記憶手段と、前記操作された表示端末の設置場所に対応する色調パターンで前記画面を配色する画面作成手段と、を備え、前記表示端末は、前記画面作成手段で配色された前記画面を表示すること、を備えること、を特徴とする。
【００１２】
また、上記課題を解決するために、請求項７記載の本発明に係る画像診断装置は、被検体の画像を撮影するモードを含む各種作業目的に応じたモードで動作するとともに、照度が異なる設置場所にそれぞれ表示端末を有し、撮影した被検体の画像、各種情報、又は入出力操作の結果を表示する画面を表示する画像診断装置であって、操作者ＩＤの入力を伴うログイン操作と作業目的に応じたモードの入力を受け付ける操作手段と、前記画面の各種色調パターンを記憶する色調記憶手段と、前記操作者ＩＤで識別される操作者が有する役割を示す情報と作業目的に応じた各種モードとの組み合わせと前記色調パターンとの対応付けを記憶する対応付け記憶手段と、前記操作手段で入力された操作者ＩＤで識別される操作者が有する役割と入力されたモードとの組み合わせに対応する色調パターンで前記画面を配色する画面作成手段と、前記画面作成手段で配色された前記画面を表示する表示手段と、を備えること、を特徴とする。
【００１３】
また、上記課題を解決するために、請求項８記載の本発明に係る画像表示装置は、被検体の画像、各種情報、又は入出力操作の結果を表示する画面を表示する画像表示装置であって、作業目的に応じたモードの入力を受け付ける操作手段と、前記画面の各種色調パターンを記憶する色調記憶手段と、作業目的に応じた各種モードと前記色調パターンの対応付けを記憶する対応付け記憶手段と、前記操作手段で入力されたモードに対応する色調パターンで前記画面を配色する画面作成手段と、前記画面作成手段で配色された前記画面を表示する表示手段と、を備えること、を特徴とする。
【００１４】
また、上記課題を解決するために、請求項１０記載の本発明に係る画像表示装置は、被検体の画像、各種情報、又は入出力操作の結果を表示する画面を表示する画像表示装置であって、操作者ＩＤの入力を伴うログイン操作を受け付ける操作手段と、前記画面の各種色調パターンを記憶する色調記憶手段と、前記操作者ＩＤで識別される操作者が有する役割を示す情報と前記色調パターンの対応付けを記憶する対応付け記憶手段と、前記操作手段で入力された操作者ＩＤで識別される操作者が有する役割に対応する色調パターンで前記画面を配色する画面作成手段と、前記画面作成手段で配色された前記画面を表示する表示手段と、を備えること、を特徴とする。
【００１５】
また、上記課題を解決するために、請求項１２記載の本発明に係る画像表示装置は、照度が異なる設置場所にそれぞれ表示端末を有し、被検体の画像、各種情報、及び入出力操作の結果を表示する画面を、操作されている前記表示端末に表示させる画像表示装置であって、前記画面の各種色調パターンを記憶する色調記憶手段と、前記表示端末の設置場所を示す情報と前記色調パターンの対応付けを記憶する対応付け記憶手段と、前記操作された表示端末の設置場所に対応する色調パターンで前記画面を配色する画面作成手段と、を備え、前記表示端末は、前記画面作成手段で配色された前記画面を表示すること、を備えること、を特徴とする。
【００１６】
また、上記課題を解決するために、請求項１４記載の本発明に係る画像表示装置は、被検体の画像を撮影するモードを含む各種作業目的に応じたモードで駆動するとともに、照度が異なる設置場所にそれぞれ表示端末を有し、撮影した被検体の画像、各種情報、又は入出力操作の結果を表示する画面を表示する画像表示装置であって、操作者ＩＤの入力を伴うログイン操作と作業目的に応じたモードの入力を受け付ける操作手段と、前記画面の各種色調パターンを記憶する色調記憶手段と、前記操作者ＩＤで識別される操作者が有する役割を示す情報と作業目的に応じた各種モードとの組み合わせと前記色調パターンとの対応付けを記憶する対応付け記憶手段と、前記操作手段で入力された操作者ＩＤで識別される操作者が有する役割と入力されたモードとの組み合わせに対応する色調パターンで前記画面を配色する画面作成手段と、前記画面作成手段で配色された前記画面を表示する表示手段と、を備えること、を特徴とする。
【発明の効果】
【００１７】
請求項１、７、８、及び１４記載の本発明によれば、作業目的に応じてその作業を行う部屋の照度はある程度で決まっているが、作業目的に応じて入力されたモードに対応して画面の色調を自動的に変えることができるため、画面が見にくい、また画面が明るすぎるといったことが未然に防がれる。従って、操作者が画面に集中しやすくなり、作業効率が向上する。
【００１８】
請求項３、７、１０、及び１４記載の本発明によれば、操作者の役割によって作業を行う部屋の照度のある程度決まっているが、操作者の役割に対応して画面の色調を自動的に変えることができるため、画面が見にくい、また画面が明るすぎるといったことが未然に防がれる。従って、操作者が画面に集中しやすくなり、作業効率が向上する。
【００１９】
請求項５及び１２記載の本発明によれば、表示端末の設置場所によってその部屋の照度は決まっているが、表示端末の設置場所に対応して画面の色調を自動的に変えることができるため、画面が見にくい、また画面が明るすぎるといったことが未然に防がれる。従って、操作者が画面に集中しやすくなり、作業効率が向上する。
【発明を実施するための最良の形態】
【００２０】
以下、本発明に係る撮影した被検体の画像、各種情報、又は入力操作の結果を表示する画面を表示する画像診断装置を含む画像表示装置の好適な実施形態について、図面を参照しながら具体的に説明する。
【００２１】
図１は、本実施形態の画面表示技術の具体例の一つである画像診断装置の構成を示すブロック図である。
【００２２】
画像診断装置は、被検体内部の画像である医用画像を撮影する装置である。この画像診断装置は、画像表示装置１と撮影部２と操作部８から構成される。
【００２３】
画像診断装置は、例えば、Ｘ線ＣＴ装置、Ｘ線診断装置、超音波診断装置、磁気共鳴画像診断装置、核医学診断装置等である。Ｘ線ＣＴ装置は、撮影部２により、Ｘ線を被検体回りに曝射して、被検体を透過したＸ線から被検体の断層像を撮影し、この断層像を画像表示装置１で表示する。Ｘ線診断装置は、撮影部２により、Ｘ線を被検体の一方向から曝射して、被検体を透過したＸ線から被検体の平面透過像を撮影し、この平面透過像を画像表示装置１で表示する。超音波診断装置は、撮影部２により、超音波を被検体内に送受波して被検体内の断層像を撮影し、この断層像を画像表示装置１で表示する。磁気共鳴画像診断装置は、撮影部２により、静磁場中に置かれた被検体組織の原子核スピンを励起して、発生した磁気共鳴信号（ＭＲ信号）から被検体内の画像を撮影し、この画像を画像表示装置１で表示する。核医学診断装置は、放射性同位元素（Ｒａｄｉｏｉｓｏｔｏｐｅ：ＲＩ）で標識した薬剤を被検体に投与し、撮影部２により、放射性同位元素から放射されるガンマ線を検出することで被検体内の画像を撮影し、この画像を画像表示装置１で表示する。
【００２４】
例えば、撮影部２は、画像診断装置が超音波診断装置である場合、超音波を送受波する超音波プローブと、超音波プローブで受波した超音波を反映する信号を処理して医用画像を生成する画像処理回路とからなる。
【００２５】
この画像診断装置は、操作部８を用いることで各種駆動モードが指示される。例えば、操作部８を用いて撮影予約モードが指示されると、被検体となる患者の情報の入力を受け付ける。また、操作部８を用いて被検体撮影モードが指示されると、撮影条件の入力を受け付け、入力された撮影条件に従って撮影を開始する。また、操作部８を用いてメンテナンスモードが指示されると、動作チェックのための各種情報を表示する。
【００２６】
この操作部８は、キーボード、マウス、若しくはトラックボール、又はこれらの複合で構成されており、画像診断装置の操作者によって操作されると、画像表示装置１や撮影部２に操作信号を入力する。
【００２７】
撮影部２は、この操作信号を受けて被検体の撮影を開始する。画像表示装置１は、各種駆動モードの切り替えを指示する操作信号と、画面の切り替えを指示する操作信号と、情報の入力を示す操作情報を受けとる。画像表示装置１は、駆動モードの切り替えを指示する操作信号を受けると、指示された駆動モードに切り替えつつ、撮影した被検体の画像、各種情報、又は入力操作の結果を表示する画面を表示する。
【００２８】
画像表示装置１は、画像記憶部３と画面作成部４と表示部５とテンプレート記憶部６と色調記憶部７と色調選出部９と対応付け記憶部１０とを有する。この画像表示装置１は、撮影部２と離れた環境に設置されている場合が多く、例えば、病院内の検査室、読影室、診察室、受付け、または待合室の何れか、またはこれら箇所にそれぞれ設置されている。検査室と読影室は、一般的に照度の低い暗室である。診察室、受付け、及び待合室は、一般的に照度が高く明るい部屋である。
【００２９】
表示部５は、液晶ディスプレイやＣＲＴディスプレイである。画像記憶部３は、所謂メモリであり、撮影部２と電気的に接続され、撮影部２により生成された医用画像を記憶する。
【００３０】
画面作成部４は、操作部８による画面切り替え操作に応じて、次の画面のテンプレート６１に配色を施すことで次の画面を生成し、表示部５に表示させる。次の画面が医用画像を表示する画面である場合には、画像記憶部３から医用画像を読み出してテンプレート６１に配置する。
【００３１】
テンプレート６１は、テンプレート記憶部６に記憶されている。図２は、テンプレート記憶部６に記憶されているテンプレート６１を示す模式図である。
【００３２】
図２に示すように、テンプレート記憶部６には、表示部５に表示される各種の画面のテンプレート６１が記憶されている。表示部５に表示される画面としては、例えば、患者の情報を入力する患者入力画面、撮影条件を入力する撮影条件入力画面、医用画像を表示する画像表示画面等である。テンプレート記憶部６には、これら各種の画面に対応してそのフレームデータが記憶され、また各種の画面に配置されるアイコンや文字列等のオブジェクトデータが記憶されている。テンプレート６１は、これらフレームデータとオブジェクトデータとからなり、各種の画面に対応してテンプレート記憶部６に記憶されている。
【００３３】
このテンプレート６１には、フレームの背景や前景や、アイコンや文字列等のオブジェクト等、画面の色調に関するデータは含まれていない。画面作成部４は、テンプレート記憶部６に記憶されているテンプレート６１を読み出し、さらに別途記憶している色調パターンを読み出し、色調パターンに従ってテンプレート６１を着色することで、表示部５に表示する画面のデータを作成する。
【００３４】
色調パターンは、色調記憶部７に記憶されている。図３は、色調記憶部７に記憶されている色調パターンを示す模式図である。
【００３５】
色調記憶部７には、それぞれ異なった色調を示す複数の色調パターンが記憶されている。この色調記憶部７には、暗色の色調パターン７１ａ、中間色の色調パターン７１ｂ、及び明色の色調パターン７１ｃが記憶されている。それぞれの色調パターン７１ａ，７１ｂ，７１ｃには、識別符号としての色調ＩＤ１０２が付されている。
【００３６】
それぞれの色調パターン７１ａ，７１ｂ，７１ｃは、各オブジェクトの配色情報が記憶されている。具体的には、背景、前景、編集可能文字、編集不可文字、フォーカス位置、ＩＤで示される各ボックス、及び患者入力ボックス等のテンプレート６１に配置される各種のオブジェクトの配色情報が記憶されている。配色情報は、Ｒ（レッド）Ｇ（グリーン）Ｂ（ブルー）の３色の各階調値で示されている。この配色情報は、ＲＧＢ表色系の他、Ｒ（レッド）Ｇ（グリーン）Ｂ（ブルー）Ａ（透明度）表色系、Ｙ（輝度）Ｃｂ（青の差分）Ｃｒ（赤の差分）表色系、Ｃ（シアン）Ｍ（マゼンタ）Ｙ（イエロー）Ｋ（スミ）表色系で示されていてもよい。
【００３７】
画面作成部４は、この色調記憶部７から暗色の色調パターン７１ａ、中間色の色調パターン７１ｂ、または明色の色調パターン７１ｃの何れかを読み出し、読み出した色調でテンプレート６１を配色することで、画面を生成する。
【００３８】
色調選出部９は、テンプレート６１に配色する色調パターンを選出する。画面作成部４は、色調選出部９で選出された暗色の色調パターン７１ａ、中間色の色調パターン７１ｂ、または明色の色調パターン７１ｃの何れかを用いてテンプレート６１に配色を施す。
【００３９】
本実施形態では、色調選出部９は、入力された駆動モード、画像表示装置１を操作している操作者の役割、若しくは表示部５が設置されている設置場所、またはこれらの組み合わせに応じてテンプレート６１に配色する色調パターンを選出する。
【００４０】
まず、画像表示装置１において、入力された駆動モードに応じて色調パターンを選出することで、駆動モードに応じて画面の色調が変更される態様を説明する。操作者は、被検体を撮影する、被検体の撮影予約をする、画像診断装置のメンテナンスをする等の各種の作業目的に応じて、その作業目的で駆動させるための駆動モードを入力し、入力した駆動モードで画像診断装置を駆動させる。駆動モードによって、画面を暗い場所で凝視する必要があるのか、画面を明るい場所で表示させることが多いのか、画面を暗い場所で表示することもあるがあまり凝視する必要がないものなのか等の区別がつき、それによって色調を変更することは、画面の識別性や目の疲れ等による作業効率の向上において有効である。また、動作している駆動モードを画面の色調によって容易に認識でき、誤操作を防ぐことにおいて有効である。
【００４１】
図４は、入力された駆動モードに応じて色調パターンを選出する場合において、対応付け記憶部１０に記憶されている対応付けテーブルを示す模式図である。色調選出部９は、この対応付け記憶部１０に記憶されている対応付けテーブルを参照することで、色調パターンを選出する。
【００４２】
対応付け記憶部１０に記憶されている対応テーブルは、色調を管理する色調管理テーブルであり、各種の駆動モードを識別する情報１０１と色調パターンを識別する色調ＩＤ１０２とを１対１で対応付けている。
【００４３】
具体的には、被検体を撮影する被検体撮影モードには、「００１」を表す色調ＩＤ１０２が対応付けられている。この「００１」を表す色調ＩＤ１０２は、暗色の色調パターン７１ａを識別している。被検体撮影モードでは、医用画像を観察する場合が多く、当該モードの駆動環境は、読影室や検査室等の照度の低い暗室となっている場合が多いからである。
【００４４】
画像診断装置をメンテナンスするメンテナンスモードには、「００２」を表す色調ＩＤ１０２が対応付けられている。この「００２」を表す色調ＩＤ１０２は、中間色の色調パターン７１ａを識別している。メンテナンスモードは、照度が低い環境に画像表示装置１が設置されていても、照度が高い環境に画像表示装置１が設置されていても、どちらの状況下でもある程度画面を識別できなくてはならないからである。
【００４５】
被検体の撮影を予約する撮影予約モードには、「００３」を表す色調ＩＤ１０２が対応付けられている。この「００３」を表す色調ＩＤ１０２は、明色の色調パターン７１ａを識別している。撮影予約モードは、診察室、受付け、または待合室に設置されている画像表示装置１で駆動される場合が多く、当該モードの駆動環境は、照度の高い明るい部屋であることが多いからである。
【００４６】
色調選出部９は、操作部８を用いて入力された駆動モードに対応する色調ＩＤ１０２を対応付け記憶部１０から読み出すことで色調パターンを選出し、その色調ＩＤ１０２で識別される色調パターンを画面作成部４に指示する。この指示は、例えば、ワークメモリに読み出した色調ＩＤ１０２を画面作成部４が参照可能に格納させておくことでなされる。
【００４７】
図５は、このような入力された駆動モードに応じて色調パターンで画面を配色して表示する画像表示装置１の動作を示すフローチャートである。
【００４８】
操作部８を用いて各種駆動モードのうちの何れかが入力されると（Ｓ０１）、色調選出部９は、入力された駆動モードを識別する情報１０１に対応する色調ＩＤ１０２を読み出し（Ｓ０２）、ワークメモリに格納する（Ｓ０３）。
【００４９】
画面作成部４は、テンプレート記憶部６からテンプレート６１を読み出し（Ｓ０４）、さらにワークメモリに格納された色調ＩＤ１０２で識別される色調パターンを色調記憶部７から読み出す（Ｓ０５）。
【００５０】
そして、画面作成部４は、読み出した色調パターンでテンプレート６１を着色することで、画面を生成する（Ｓ０６）。画面作成部４は、この読み出した色調パターンで着色した画面を表示部５に出力されるとことによって、入力された駆動モードに対応する色調パターンで着色された画面を表示部５に表示させる（Ｓ０７）。
【００５１】
このような入力された駆動モードに応じた色調パターンで画面を配色して表示する画像表示装置１の具体例を図６と図７に示す。図６は、表示部５に表示される画面の切り替わりを示す遷移図である。また、図７は、各種の色調パターンで着色された患者登録画面を示す模式図である。
【００５２】
画像診断装置では、起動されるとエントランス画面Ｅｓが表示部５に表示される。このとき、画面作成部４では、エントランス画面Ｅｓのテンプレート６１をテンプレート記憶部６から読み出して、エントランス画面Ｅｓ用の配色を施した上で表示部５に表示させている。
【００５３】
エントランス画面Ｅｓは、各種駆動モードに突入するための入力を受け付ける画面である。このエントランス画面Ｅｓには、メンテナンスモードで駆動することを指示するためのメンテンスモードボタンＢｍと、被検体撮影モードで駆動することを指示するための被検体撮影モードボタンＢｓと、患者情報を入力することで撮影を予約するための撮影予約モードボタンＢｒとが配置されている。
【００５４】
操作部８を用いて被検体撮影モードボタンＢｓが押下されると、色調選出部９には、操作部８から被検体撮影モードボタンＢｓが押下されたことを示す信号が入力される。操作部８を用いてメンテナンスモードボタンＢｍが押下されると、色調選出部９には、操作部８からメンテナンスモードボタンＢｍが押下されたことを示す信号が入力される。操作部８を用いて撮影予約モードボタンＢｒが押下されると、色調選出部９には、操作部８から撮影予約モードボタンＢｒが押下されたことを示す信号が入力される。
【００５５】
色調選出部９は、操作部８から被検体撮影モードボタンＢｓが押下されたことを示す信号が入力されると、被検体撮影モードを表す駆動モードを識別する情報１０１を対応付け記憶部１０からサーチし、該当する駆動モードを識別する情報に対応付けられている色調ＩＤ１０２、即ち被検体撮影モードに対応する暗色の色調パターン７１ａを識別する色調ＩＤ１０２を読み出す。
【００５６】
また、色調選出部９は、操作部８からメンテナンスモードボタンＢｍが押下されたことを示す信号が入力されると、メンテナンスモードを表す駆動モードを識別する情報１０１を対応付け記憶部１０からサーチし、該当する駆動モードを識別する情報に対応付けられている色調ＩＤ１０２、即ちメンテナンスモードに対応する中間色の色調パターン７１ｂを識別する色調ＩＤ１０２を読み出す。
【００５７】
また、色調選出部９は、操作部８から撮影予約モードボタンＢｒが押下されたことを示す信号が入力されると、撮影予約モードを表す駆動モードを識別する情報１０１を対応付け記憶部１０からサーチし、該当する駆動モードを識別する情報に対応付けられている色調ＩＤ１０２、即ち撮影予約モードに対応する明色の色調パターン７１ｃを識別する色調ＩＤ１０２を読み出す。
【００５８】
画面作成部４は、エントランス画面Ｅｓに配置された被検体撮影モードボタンＢｓが押下されたことを受けて、当該モードで次に切り替わる患者登録画面Ｐｓのテンプレート６１をテンプレート記憶部６から読み出す。
【００５９】
また、画面作成部４は、エントランス画面Ｅｓに配置されたメンテナンスモードボタンＢｍが押下されたことを受けて、当該モードで次に切り替わるサービスメニュー画面とＤａｉｌｙＱＡ画面の作成及び表示とそれぞれ次の画面に切り替わるボタンの押下を経てから、患者登録画面Ｐｓのテンプレート６１をテンプレート記憶部６から読み出す。
【００６０】
画面作成部４は、エントランス画面Ｅｓに配置された撮影予約モードボタンＢｒが押下されたことを受けて、当該モードで次に切り替わる患者登録画面Ｐｓのテンプレート６１をテンプレート記憶部６から読み出す。
【００６１】
さらに、画面作成部４は、被検体撮影モードへ突入するため操作のため、ワークメモリに格納された色調ＩＤ１０２が、暗色の色調パターン７１ａを識別する色調ＩＤ１０２であれば、この色調ＩＤ１０２で識別される暗色の色調パターン７１ａを色調記憶部７から読み出す。そして、画面作成部４は、患者登録画面Ｐｓのテンプレート６１を暗色の色調パターン７１ａで着色することで、患者登録画面Ｐｓを生成する。画面作成部４は、この患者登録画面Ｐｓを暗色で着色した上で表示部５に出力されるとことによって、図７（ａ）に示す暗色で着色された患者登録画面Ｐｓ１を表示部５に表示させる。
【００６２】
また、画面作成部４は、メンテナンスモードへ突入するため操作のため、ワークメモリに格納された色調ＩＤ１０２が、中間色の色調パターン７１ｂを識別する色調ＩＤ１０２であれば、この色調ＩＤ１０２で識別される中間色の色調パターン７１ｂを色調記憶部７から読み出す。そして、画面作成部４は、患者登録画面Ｐｓのテンプレート６１を中間色の色調パターン７１ｂで着色することで、患者登録画面Ｐｓを生成する。画面作成部４は、この患者登録画面Ｐｓを中間色で着色した上で表示部５に出力されるとことによって、図７（ｂ）に示す中間色で着色された患者登録画面Ｐｓ１を表示部５に表示させる。
【００６３】
また、画面作成部４は、撮影予約モードへ突入するため操作のため、ワークメモリに格納された色調ＩＤ１０２が、明色の色調パターン７１ｂを識別する色調ＩＤ１０２であれば、この色調ＩＤ１０２で識別される明色の色調パターン７１ｂを色調記憶部７から読み出す。そして、画面作成部４は、患者登録画面Ｐｓのテンプレート６１を明色の色調パターン７１ｂで着色することで、患者登録画面Ｐｓを生成する。画面作成部４は、この患者登録画面Ｐｓを明色で着色した上で表示部５に出力されるとことによって、図７（ｃ）に示す明色で着色された患者登録画面Ｐｓ１を表示部５に表示させる。
【００６４】
このように、画像診断装置が有する画像表示装置１では、各駆動モードで共通に表示される画面においても、駆動モードに対応する色調で配色することで、駆動モードに対応する色調の画面を表示させる。
【００６５】
図７（ａ）に示すように、被検体撮影モードで患者登録画面Ｐｓを表示させると、被検体撮影モードに対応する暗色の色調パターン７１ａを用いて患者登録画面Ｐｓのテンプレート６１が着色されるため、被検体撮影モードでは、暗色で配色された患者登録画面Ｐｓ１が表示部５に表示される。そのため、当該モードは暗室で駆動される場合が多いが、患者登録画面Ｐｓ１等の各種画面は、当該モードに突入すると暗色の色調となるため、暗室の中でも画面が見にくくなることはなく、また画面を凝視する必要があるが、画面の光が強い刺激となり作業効率を低下させることもない。
【００６６】
図７（ｂ）に示すように、メンテナンスモードで患者登録画面Ｐｓを表示させると、メンテナンスモードに対応する中間色の色調パターン７１ｂを用いて患者登録画面Ｐｓのテンプレート６１が着色されるため、被検体撮影モードでは、中間色で配色された患者登録画面Ｐｓ２が表示部５に表示される。そのため、当該モードは暗室でも明るい部屋でも駆動される場合が多いが、患者登録画面Ｐｓ１等の各種画面は、当該モードに突入すると中間色の色調となるため、暗室でも明るい部屋でも画面が見にくくなることはない。
【００６７】
図７（ｃ）に示すように、撮影予約モードで患者登録画面Ｐｓを表示させると、撮影予約モードに対応する明色の色調パターン７１ｃを用いて患者登録画面Ｐｓのテンプレート６１が着色されるため、被検体撮影モードでは、明色で配色された患者登録画面Ｐｓ３が表示部５に表示される。そのため、当該モードは明るい部屋で駆動される場合が多いが、患者登録画面Ｐｓ１等の各種画面は、当該モードに突入すると明色の色調となるため、照度が高い部屋であっても画面が見にくくなることはない。また、当該モードを暗室で駆動させても、撮影予約モードではあまり画面を凝視することがないので、明色でも問題はない。
【００６８】
次に、画像表示装置１において、画像表示装置１を操作している操作者の役割に応じて画面の色調が変更される態様を説明する。操作者の役割とは、職種に応じて期待された職務であり、例えば、医師、技師、看護師、事務員、またはサービスマンという立場に応じた職務である。従って、役割は、職種で言い換えることもできる。
【００６９】
図８と図９は、操作者の役割に応じて色調パターンを選出する場合において、対応付け記憶部１０に記憶されている対応付けテーブルを示す模式図である。
【００７０】
対応付け記憶部１０に記憶されている図９に示す対応テーブルは、図８に示す役割テーブルを付帯している。
【００７１】
役割テーブルは、画像診断装置にログイン時に入力する操作者ＩＤ１０４と各種の役割を識別する役割情報１０３とを対応付けている。色調管理テーブルは、各種の役割を識別する役割情報１０３と色調パターンを識別する色調ＩＤ１０２とを１対１で対応付けている。
【００７２】
具体的には、役割テーブルには、医師又は技師を示す役割情報１０３と、看護師又は事務員を示す役割情報１０３と、サービスマンを示す役割情報１０３に区分され、それぞれに操作者ＩＤが対応付けられている。医師又は技師である者の操作者ＩＤ１０４は、医師又は技師を示す役割情報１０３に対応付けられ、看護師又は事務員である者の操作者ＩＤ１０４は、看護師又は事務員を示す役割情報１０３に対応付けられ、サービスマンである者の操作者ＩＤ１０４は、サービスマンを示す役割情報１０３に対応付けられている。
【００７３】
色調管理テーブルには、医師又は技師であることを示す役割情報１０３には、「００１」を表す色調ＩＤ１０２が対応付けられている。この「００１」を表す色調ＩＤ１０２は、暗色の色調パターン７１ａを識別している。医師又は技師は、医用画像を観察する場合が多く、その環境は、読影室や検査室等の照度の低い暗室となっているからである。
【００７４】
サービスマンであることを示す役割情報１０３には、「００２」を表す色調ＩＤ１０２が対応付けられている。この「００２」を表す色調ＩＤ１０２は、中間色の色調パターン７１ａを識別している。サービスマンは、画像診断装置のメンテナンスを行うため、照度が低い環境に画像表示装置１が設置されていても、照度が高い環境に画像表示装置１が設置されていても、どちらの状況下でもある程度画面を識別できなくてはならないからである。
【００７５】
事務員又は看護師であることを示す役割情報１０３には、「００３」を表す色調ＩＤ１０２が対応付けられている。この「００３」を表す色調ＩＤ１０２は、明色の色調パターン７１ａを識別している。事務員又は看護師は、画像診断装置の撮影予約を行うため、診察室、受付け、または待合室に設置されている画像表示装置１を用いる場合が多く、環境的には照度の高い明るい部屋だからである。
【００７６】
図１０は、このような操作している操作者の役割に応じて画面の色調が変更される画像表示装置１の動作を示すフローチャートである。
【００７７】
ログイン画面において操作部８を用いて操作者ＩＤ１０４が入力され（Ｓ１１）、画像診断装置が当該操作者ＩＤ１０４を有する操作者の権限で起動されると（Ｓ１２）、色調選出部９は、入力された操作者ＩＤ１０４に対応する役割情報１０３を対応付け記憶部１０の役割テーブルから検索する（Ｓ１３）。
【００７８】
そして、該当する役割情報１０３が検出されると、色調選出部９は、該当する役割情報１０３に対応する色調ＩＤ１０２を対応付け記憶部１０の色調管理テーブルから読み出し（Ｓ１４）、ワークメモリに格納する（Ｓ１５）。
【００７９】
画面作成部４は、テンプレート記憶部６からテンプレート６１を読み出し（Ｓ１６）、さらにワークメモリに格納された色調ＩＤ１０２で識別される色調パターンを色調記憶部７から読み出す（Ｓ１７）。
【００８０】
そして、画面作成部４は、読み出した色調パターンでテンプレート６１を着色することで、画面を生成する（Ｓ１８）。画面作成部４は、この読み出した色調パターンで着色した画面を表示部５に出力されるとことによって、操作している操作者の役割に対応する色調パターンで着色された画面を表示部５に表示させる（Ｓ１９）。
【００８１】
このような操作している操作者の役割に応じた色調パターンで画面を配色して表示する画像表示装置１の具体例を説明する。
【００８２】
色調選出部９は、起動時のログイン画面で入力された操作者ＩＤ１０４を示す信号を操作部から入力される。ログインした者が医師又は技師である場合、色調選出部９は、信号が示す操作者ＩＤ１０４を対応付け記憶部１０の役割テーブルからサーチし、該当する操作者ＩＤ１０４に対応付けられている役割情報１０３、即ち医師又は技師を示す役割情報１０３を読み出す。
【００８３】
また、ログインした者がサービスマンである場合、色調選出部９は、信号が示す操作者ＩＤ１０４を対応付け記憶部１０の役割テーブルからサーチし、該当する操作者ＩＤ１０４に対応付けられている役割情報１０３、即ちサービスマンを示す役割情報１０３を読み出す。
【００８４】
また、ログインした者が看護師又は事務員である場合、色調選出部９は、信号が示す操作者ＩＤ１０４を対応付け記憶部１０の役割テーブルからサーチし、該当する操作者ＩＤ１０４に対応付けられている役割情報１０３、即ち看護師又は事務員を示す役割情報１０３を読み出す。
【００８５】
医師又は技師を示す役割情報１０３を読み出すと、色調選出部９は、読み出した役割情報１０３を対応付け記憶部１０の色調管理テーブルからサーチし、該当する役割情報１０３に対応付けられている色調ＩＤ１０２、即ち医師又は技師を示す役割情報１０３に対応する暗色の色調パターン７１ａを識別する色調ＩＤ１０２を読み出す。
【００８６】
また、サービスマンを示す役割情報１０３を読み出すと、色調選出部９は、読み出した役割情報１０３を対応付け記憶部１０の色調管理テーブルからサーチし、該当する役割情報１０３に対応付けられている色調ＩＤ１０２、即ちサービスマンを示す役割情報１０３に対応する中間色の色調パターン７１ｂを識別する色調ＩＤ１０２を読み出す。
【００８７】
看護師又は事務員を示す役割情報１０３を読み出すと、色調選出部９は、読み出した役割情報１０３を対応付け記憶部１０の色調管理テーブルからサーチし、該当する役割情報１０３に対応付けられている色調ＩＤ１０２、即ち看護師又は事務員を示す役割情報１０３に対応する明色の色調パターン７１ｃを識別する色調ＩＤ１０２を読み出す。
【００８８】
画面作成部４は、エントランス画面Ｅｓをはじめとして各種画面のうちの次に表示する画面のテンプレート６１をテンプレート記憶部６から読み出す。起動時であれば、エントランス画面Ｅｓのテンプレート６１を読み出し、患者登録画面Ｐｓを表示させるときは、患者登録画面Ｐｓのテンプレート６１をテンプレート記憶部６から読み出す。
【００８９】
さらに、画面作成部４は、医師又は技師である者が入力した自身の操作者ＩＤの入力を受けて、ワークメモリに格納された色調ＩＤ１０２に対応する暗色の色調パターン７１ａを色調記憶部７から読み出す。そして、画面作成部４は、患者登録画面Ｐｓのテンプレート６１を暗色の色調パターン７１ａで着色することで、患者登録画面Ｐｓを生成する。画面作成部４は、この患者登録画面Ｐｓを暗色で着色した上で表示部５に出力されるとことによって、図７（ａ）に示す暗色で着色された患者登録画面Ｐｓ１を表示部５に表示させる。エントランス画面Ｅｓの表示であれば、図７（ａ）と同様に暗色で着色されたエントランス画面Ｅｓが表示部５に表示される。
【００９０】
そのため、医師又は技師は検査室や読影室等の暗室で作業をする場合が多いが、患者登録画面Ｐｓ１等の各種画面は、当該者がログインすると暗色の色調となるため、画面が見にくくなることはなく、また画面の光が強い刺激となり作業効率を低下させることもない。
【００９１】
また、画面作成部４は、サービスマンである者が入力した自身の操作者ＩＤの入力を受けて、ワークメモリに格納された色調ＩＤ１０２に対応する中間色の色調パターン７１ｂを色調記憶部７から読み出す。そして、画面作成部４は、患者登録画面Ｐｓのテンプレート６１を中間色の色調パターン７１ｂで着色することで、患者登録画面Ｐｓを生成する。画面作成部４は、この患者登録画面Ｐｓを中間色で着色した上で表示部５に出力されるとことによって、図７（ｂ）に示す中間色で着色された患者登録画面Ｐｓ１を表示部５に表示させる。エントランス画面Ｅｓの表示であれば、図７（ｂ）と同様に中間色で着色されたエントランス画面Ｅｓが表示部５に表示される。
【００９２】
そのため、サービスマンは、暗室でも明るい部屋でも作業を行わねばならない場合が多いが、患者登録画面Ｐｓ１等の各種画面は、当該者がログインすると中間色の色調となるため、暗室でも明るい部屋でも画面が見にくくなることはない。
【００９３】
また、画面作成部４は、看護師又は事務員である者が入力した自身の操作者ＩＤの入力を受けて、ワークメモリに格納された色調ＩＤ１０２に対応する明色の色調パターン７１ｃを色調記憶部７から読み出す。そして、画面作成部４は、患者登録画面Ｐｓのテンプレート６１を明色の色調パターン７１ｂで着色することで、患者登録画面Ｐｓを生成する。画面作成部４は、この患者登録画面Ｐｓを明色で着色した上で表示部５に出力されるとことによって、図７（ｃ）に示す明色で着色された患者登録画面Ｐｓ１を表示部５に表示させる。エントランス画面Ｅｓの表示であれば、図７（ｃ）と同様に明色で着色されたエントランス画面Ｅｓが表示部５に表示される。
【００９４】
そのため、看護師又は事務員は診察室や受付けや待合室等の明るい部屋で作業をする場合が多いが、患者登録画面Ｐｓ１等の各種画面は、当該者がログインすると明色の色調となるため、照度が高い部屋であっても画面が見にくくなることはない。
【００９５】
次に、表示部５が設置されている設置場所に応じて画面の色調が変更される態様を説明する。画像表示装置１は、単体の装置であってもよいが、複数の装置を電気的に直接又はネットワークを介して間接的に接続したシステムであってもよい。
【００９６】
図１１及び図１２に画像表示装置１のシステムの具体例を示す。図１１は、画像表示装置１の第１のシステムを示すネットワーク図である。図１２は、画像表示装置１の第２のシステムを示すネットワーク図である。
【００９７】
図１１に示すように、画像表示装置１の第１の態様としては、ホストコンピュータ４９ａと複数の表示端末５８ａ，５８ｂとして構成される。ホストコンピュータ４９ａと表示端末５８ａは、ローカル接続されており、ホストコンピュータ４９ａと表示端末５８ｂは、ネットワークＮを介してリモート接続されている。
【００９８】
ローカル接続している表示端末５８ａは、暗室である読影室や検査室を設置場所とする。リモート接続している表示端末５８ｂは、明るい部屋である診察室や受付けや待合室を設置場所とする。
【００９９】
このホストコンピュータ４９ａ側には、画面作成部４と色調選出部９と各データであるテンプレート記憶部６と色調記憶部７と対応付け記憶部１０が配される。画像診断装置が画像表示装置１を有する場合は、このホストコンピュータ４９ａに撮影部２が接続されている。表示端末５８ａ，５８ｂ側には、表示部５と操作部８が配される。
【０１００】
また、図１２に示すように、画像表示装置１の第２の態様としては、サーバコンピュータ４９ｂと複数のコンピュータである表示端末５８ａ，５８ｂとして構成される。サーバコンピュータ４９ｂと表示端末５８ａ，５８ｂは、ネットワークＮを介してネットワーク接続されている。
【０１０１】
表示端末５８ａは、暗室である読影室や検査室を設置場所とする。表示端末５８ｂは、明るい部屋である受付けや診察室や待合室を設置場所とする。
【０１０２】
このサーバコンピュータ４９ｂ側には、画面作成部４と色調選出部９と各データであるテンプレート記憶部６と色調記憶部７と対応付け記憶部１０が配される。画像診断装置が画像表示装置１を有する場合は、このサーバコンピュータ４９ｂに撮影部２が接続されている。表示端末５８ａ，５８ｂ側には、表示部５と操作部８が配される。尚、Ｗｅｂ接続のようにｗｗｗ等の通信技術を用いる場合には、サーバコンピュータ４９ｂの画面作成部４は、レイアウトや配色を定義したＨＴＭＬ言語等のソースファイルを作成し、表示端末５８ａ，５８ｂ側でソースファイルに従って画面を生成してもよい。
【０１０３】
図１３と図１４は、このような表示端末５８ａ，５８ｂが照度の異なる各所を設置場所としており、表示端末５８ａ，５８ｂの設置場所に応じて色調パターンを選出する場合における、対応付け記憶部１０に記憶されている対応付けテーブルを示す模式図である。
【０１０４】
対応付け記憶部１０に記憶されている図１４に示す対応テーブルは、図１３に示す設置場所テーブルを付帯している。
【０１０５】
設置場所テーブルは、操作されている表示端末５８ａ又は５８ｂを識別する端末識別情報１０５と操作されている表示端末５８ａ，５８ｂの設置場所を示す設置場所情報１０６とを対応付けている。色調管理テーブルは、設置場所情報１０６と色調パターンを識別する色調ＩＤ１０２とを１対１で対応付けている。
【０１０６】
具体的には、設置場所テーブルには、読影室や検査室等の照度の低い暗室を示す設置場所情報１０６と、診察室や受付けや待合室等の照度の高い明るい部屋を示す設置場所情報１０６に区分されている。読影室や検査室等の照度の低い暗室を示す設置場所情報１０６には、暗室を設置場所とする表示端末５８ａを識別する端末識別情報１０５が対応付けられている。診察室や受付けや待合室等の照度の高い明るい部屋を示す設置場所情報１０６には、明るい部屋を設置場所とする表示端末５８ｂを識別する端末識別情報１０５が対応付けられている。
【０１０７】
第１のシステム態様によるホストコンピュータ４９ａと表示端末５８ａ，５８ｂとのローカル接続又はリモート接続の場合は、表示端末５８ａ，５８ｂを識別する端末識別情報１０５は、ローカル接続かリモート接続かである。第２のシステム態様によるサーバコンピュータ４９ｂと表示端末５８ａ，５８ｂとのネットワーク接続の場合は、表示端末５８ａ，５８ｂを識別する端末識別情報１０５は、例えば通信において必要な端末名、ＩＰアドレス、又はＡＥタイトル等である。
【０１０８】
色調管理テーブルには、読影室や検査室等の照度の低い暗室を示す設置場所情報１０６には、「００１」を表す色調ＩＤ１０２が対応付けられている。この「００１」を表す色調ＩＤ１０２は、暗色の色調パターン７１ａを識別している。
【０１０９】
診察室や受付けや待合室等の照度の高い明るい部屋を示す設置場所情報１０６には、「００３」を表す色調ＩＤ１０２が対応付けられている。この「００３」を表す色調ＩＤ１０２は、明色の色調パターン７１ａを識別している。
【０１１０】
図１５は、表示端末５８ａ，５８ｂが照度の異なる各所を設置場所としており、表示端末５８ａ，５８ｂの設置場所に応じて色調パターンを選出する場合における画像表示装置１の動作を示すフローチャートである。
【０１１１】
表示端末５８ａ，５８ｂの何れかがホストコンピュータ４９ａ又はサーバコンピュータ４９ｂにアクセスすると（Ｓ２１）、色調選出部９は、アクセスしてきた表示端末５８ａ若しくは５８ｂの端末識別情報１０５に対応する設置場所情報１０６を対応付け記憶部１０の設置場所テーブルから検索する（Ｓ２２）。
【０１１２】
そして、該当する設置場所情報１０６が検出されると、色調選出部９は、該当する設置場所情報１０６に対応する色調ＩＤ１０２を対応付け記憶部１０の色調管理テーブルから読み出し（Ｓ２３）、ワークメモリに格納する（Ｓ２４）。
【０１１３】
画面作成部４は、テンプレート記憶部６からテンプレート６１を読み出し（Ｓ２５）、さらにワークメモリに格納された色調ＩＤ１０２で識別される色調パターンを色調記憶部７から読み出す（Ｓ２６）。
【０１１４】
そして、画面作成部４は、読み出した色調パターンでテンプレート６１を着色することで、画面を生成する（Ｓ２７）。画面作成部４は、この読み出した色調パターンで着色した画面を表示部５に出力されるとことによって、操作している操作者の役割に対応する色調パターンで着色された画面を表示部５に表示させる（Ｓ２８）。
【０１１５】
このような設置場所に応じた色調パターンで画面を配色して表示する画像表示装置１の具体例を説明する。
【０１１６】
色調選出部９には、アクセスしてきた表示端末５８ａ若しくは５８ｂを識別する端末識別情報１０５が入力される。読影室や検査室等の暗室に設置されている表示端末５８ａからアクセスされた場合、色調選出部９は、ローカル接続を示す端末識別情報１０５や表示端末５８ａの端末名やＩＰアドレスやＡＥタイトル等の端末識別情報１０５を対応付け記憶部１０の設置場所テーブルからサーチし、該当する端末識別情報１０５に対応付けられている設置場所情報１０６、即ち暗室からのアクセスを示す設置場所情報１０６を読み出す。
【０１１７】
また、診察室や受付けや待合室等の明るい部屋に設置されている表示端末５８ｂからアクセスされた場合、色調選出部９は、リモート接続を示す端末識別情報１０５や表示端末５８ｂの端末名やＩＰアドレスやＡＥタイトル等の端末識別情報１０５を対応付け記憶部１０の設置場所テーブルからサーチし、該当する端末識別情報１０５に対応付けられている設置場所情報１０６、即ち明るい部屋からのアクセスを示す設置場所情報１０６を読み出す。
【０１１８】
暗室からのアクセスを示す設置場所情報１０６を読み出すと、色調選出部９は、読み出した設置場所情報１０６を対応付け記憶部１０の色調管理テーブルからサーチし、該当する設置場所情報１０６に対応付けられている色調ＩＤ１０２、即ち暗室からのアクセスに対応する暗色の色調パターン７１ａを識別する色調ＩＤ１０２を読み出す。
【０１１９】
また、明るい部屋からのアクセスを示す設置場所情報１０６を読み出すと、色調選出部９は、読み出した設置場所情報１０６を対応付け記憶部１０の色調管理テーブルからサーチし、該当する設置場所情報１０６に対応付けられている色調ＩＤ１０２、即ち明るい部屋からのアクセスを示す役割情報１０３に対応する明色の色調パターン７１ｃを識別する色調ＩＤ１０２を読み出す。
【０１２０】
画面作成部４は、エントランス画面Ｅｓや患者登録画面Ｐｓのテンプレート６１をテンプレート記憶部６から読み出す。
【０１２１】
さらに、画面作成部４は、暗室に設置されている表示端末５８ａからのアクセスを受けて、ワークメモリに格納された色調ＩＤ１０２に対応する暗色の色調パターン７１ａを色調記憶部７から読み出す。そして、画面作成部４は、患者登録画面Ｐｓのテンプレート６１を暗色の色調パターン７１ａで着色することで、患者登録画面Ｐｓを生成する。画面作成部４は、この患者登録画面Ｐｓを暗色で着色した上で表示部５に出力されるとことによって、図７（ａ）に示す暗色で着色された患者登録画面Ｐｓ１を表示部５に表示させる。エントランス画面Ｅｓの表示であれば、図７（ａ）と同様に暗色で着色されたエントランス画面Ｅｓが表示部５に表示される。
【０１２２】
そのため、患者登録画面Ｐｓ１等の各種画面は、暗室に設置されている表示端末５８ａでは暗色の色調となるため、画面が見にくくなることはなく、また画面の光が強い刺激となり作業効率を低下させることもない。
【０１２３】
また、画面作成部４は、明るい部屋に設置されている表示端末５８ｂからのアクセスを受けて、ワークメモリに格納された色調ＩＤ１０２に対応する明色の色調パターン７１ｃを色調記憶部７から読み出す。そして、画面作成部４は、患者登録画面Ｐｓのテンプレート６１を明色の色調パターン７１ｃで着色することで、患者登録画面Ｐｓを生成する。画面作成部４は、この患者登録画面Ｐｓを明色で着色した上で表示部５に出力されるとことによって、図７（ｃ）に示す明色で着色された患者登録画面Ｐｓ１を表示部５に表示させる。エントランス画面Ｅｓの表示であれば、図７（ｃ）と同様に明色で着色されたエントランス画面Ｅｓが表示部５に表示される。
【０１２４】
そのため、患者登録画面Ｐｓ１等の各種画面は、明るい部屋に設置されている表示端末５８ｂでは明色の色調となるため、照度が高い部屋であっても画面が見にくくなることはない。
【０１２５】
以上のように、この画像表示装置１は、駆動モード、画像表示装置１を操作する者の役割、表示端末５８ａ，及び５８ｂの設置場所に応じて色調を変えた画面を表示する場合を説明したが、これらの組み合わせに応じて色調を変えるようにしてもよい。組み合わせで色調を変える場合には、対応付け記憶部１０に記憶されている対応付けを、色調ＩＤ１０２と組み合わせとの対応付けとすればよい。
【０１２６】
図１６は、駆動モードと画像表示装置１を操作する者の役割との組み合わせに応じて色調を変えた画面を表示する場合の対応付けを示す図である。
【０１２７】
例えば、駆動モードと画像表示装置１を操作する者の役割との組み合わせに応じて色調を変えた画面を表示する場合、役割情報１０３と駆動モードを識別する情報１０１との各組み合わせに、色調ＩＤ１０２を対応付けておく。また、対応付け記憶部１０には、役割テーブルを記憶しておく。
【０１２８】
そして、色調選出部９は、ログイン時に入力された操作者ＩＤ１０４に対応する役割情報１０３と、入力された駆動モードを識別する情報１０１との組み合わせを色調管理テーブルから検索して、この組み合わせに対応する色調ＩＤ１０２を読み出す。
【０１２９】
画面作成部４は、この色調ＩＤ１０２に対応する色調パターンを色調記憶部７から読み出して、テンプレート６１を着色すればよい。
【０１３０】
また、この画像表示装置１は、画像診断装置の他にも、医用画像を表示するＰＡＣＳやＲＩＳやＨＩＳに接続された画像表示装置にも適用することができる。図１７は、画像表示装置を示すブロック図である。
【０１３１】
画像表示装置は、画像診断装置が有する画像表示装置１をワークステーションやパーソナルコンピュータのソフトウェア処理により実現したものである。この画像表示装置は、医用画像を保管する画像サーバ１００にネットワークＮを介して接続されており、画像表示装置１の各構成と検索インターフェース部１１を有する。
【０１３２】
検索インターフェース部１１は、医用画像を検索する検索キーを操作部８を用いて入力されると、この検索キーに対応する医用画像のリストを要求するコマンドを画像サーバ１００に送信し、医用画像のリストを受信すると、画像表示装置１によりリストの画面を表示部５に表示させる。このとき、リストの画面は、駆動モード、画像表示装置を操作する者の役割、表示端末５８ａ，及び５８ｂの設置場所、又はこれらの組み合わせに応じて色調が変更される。
【０１３３】
さらに、操作部８を用いてリストの何れかが選択されると、選択された医用画像を要求するコマンドを画像サーバ１００に送信する。画像サーバ１００は、医用画像のデータベースを有し、このデータベースを参照して、検索キーに対応する医用画像を検索し、選択された医用画像を読み出して画像表示装置に送信する。
【０１３４】
医用画像を受信すると、画像表示装置では、医用画像を配置した画面が表示される。この医用画像を配置した画面も、駆動モード、画像表示装置を操作する者の役割、表示端末５８ａ，及び５８ｂの設置場所、又はこれらの組み合わせに応じて色調が変更される。
【０１３５】
以上説明した画像表示装置１は、専用の回路で構成してもよいし、所謂コンピュータで構成するようにしてもよい。コンピュータで構成した場合、ハードディスク等の外部記憶装置にこの画像表示装置１を機能させる制御プログラムを記憶させておき、ＲＡＭに適宜展開してＣＰＵにより解読及び実行させるようにすればよい。コンピュータで構成される場合は、画像記憶部３とテンプレート記憶部６と色調記憶部７と対応付け記憶部１０は、外部記憶装置を主に含み構成され、画面作成部４と色調選出部９と検索インターフェース部１１は、主にプロセッサとワークメモリを含み構成される。
【図面の簡単な説明】
【０１３６】
【図１】画像診断装置の構成を示すブロック図である。
【図２】テンプレートを示す模式図である。
【図３】色調パターンを示す模式図である。
【図４】入力された駆動モードに応じて色調パターンを選出する場合における対応付けテーブルを示す模式図である。
【図５】入力された駆動モードに応じて色調パターンで画面を配色して表示する動作を示すフローチャートである。
【図６】画面の切り替わりを示す遷移図である。
【図７】各種の色調パターンで着色された患者登録画面を示す模式図である。
【図８】役割テーブルを示す模式図である。
【図９】操作者の役割に応じて色調パターンを選出する場合における対応付けテーブルを示す模式図である。
【図１０】操作者の役割に応じて画面の色調が変更される動作を示すフローチャートである。
【図１１】表示装置の第１のシステムを示すネットワーク図である。
【図１２】表示装置の第２のシステムを示すネットワーク図である。
【図１３】設置場所テーブルを示す模式図である。
【図１４】表示端末の設置場所に応じて色調パターンを選出する場合における対応付けテーブルを示す模式図である。
【図１５】表示端末の設置場所に応じて色調パターンを選出する場合における動作を示すフローチャートである。
【図１６】駆動モードと表示装置を操作する者の役割との組み合わせに応じて色調を変えた画面を表示する場合の対応付けを示す図である。
【図１７】画像表示装置を示すブロック図である。
【符号の説明】
【０１３７】
１      画像表示装置
２      撮影部
３      画像記憶部
４      画面作成部
５      表示部
６      テンプレート記憶部
６１    テンプレート
７      色調記憶部
７１ａ  暗色の色調パターン
７１ｂ  中間色の色調パターン
７１ｃ  明色の色調パターン
８      操作部
９      色調選出部
１０    対応付け記憶部
１１    検索インターフェース部
４９ａ  ホストコンピュータ
４９ｂ  サーバコンピュータ
５８ａ  表示端末
５８ｂ  表示端末
１００  画像サーバ
１０１  駆動モードを識別する情報
１０２  色調ＩＤ
１０３  役割情報
１０４  操作者ＩＤ
１０５  端末識別情報
１０６  設置場所情報
Ｅｓ  エントランス画面
Ｐｓ  患者登録画面
Ｐｓ１  暗色で着色された患者登録画面
Ｐｓ２  中間色で着色された患者登録画面
Ｐｓ３  明色で着色された患者登録画面
Ｂｍ  メンテナンスモードボタン
Ｂｓ  被検体撮影モードボタン
Ｂｒ  撮影予約モードボタン
【図１】
2009139624.tif 000003
【図２】
2009139624.tif 000004
【図３】
2009139624.tif 000005
【図４】
2009139624.tif 000006
【図５】
2009139624.tif 000007
【図６】
2009139624.tif 000008
【図７】
2009139624.tif 000009
【図８】
2009139624.tif 000010
【図９】
2009139624.tif 000011
【図１０】
2009139624.tif 000012
【図１３】
2009139624.tif 000013
【図１４】
2009139624.tif 000014
【図１５】
2009139624.tif 000015
【図１６】
2009139624.tif 000016
【図１７】
2009139624.tif 000017
【図１１】
2009139624.tif 000018
【図１２】
2009139624.tif 000019